(57)【要約】【課題】      部品点数を減少させ、駆動部や回転部を無くすことによって、トラブルの発生を無くし、ルアーの回収操作が簡単で確実に行えるルアー回収具を経済的な価格で提供する。【解決手段】      図１、図２、図３、図４、図５に示すように、前方上部へその中央部へ釣用ラインＢやサルカン３の釣用ライン結節リング３ｂを通過させながら、サルカン本体３ａを通過させない垂直方向の１つの溝１ｌとその後面へ根係りしたルアーＤと連結されたサルカン本体３ａへ係止する係止部１ａを有する上部傾斜面１ｈと、前方下部へはサルカンを導入する上方へ傾斜した下部傾斜面１ｇを有し、それらの左右の面はすり鉢状の斜面１ｋで構成され、上部で薄肉で下部にいくに従って厚肉となり、下面に釣用ラインを挿入する先端から後端まで連続したＳ字状の釣用ライン挿入溝１ｆを有し、横断面長円形状の外殻と，後方下部へ設けた１対の水平翼１ｊと，後方下端に設けたルアー回収ライン結節孔１ｄを有する垂直尾翼１ｅを一体に形成したルアー回収具金属部材１と、前方下部へサルカンを導入する傾斜面２ｂとそれに続くサルカン停止部２ａとなる段差部と下部のＳ字状釣用ライン挿入溝１ｆから上部の直線状釣用ライン通路２ｃまでの連続した狭い開口部２ｅを有するルアー回収具樹脂部材２がルアー回収具金属部材１の前部から後端まで連続した上下２対の係合突起１ｉとルアー回収具樹脂部材の上下２対の係合溝２ｄを強固に勘合し、一体に構成した。【選択図】図４
0003148620.tif 000002
【実用新案登録請求の範囲】
【請求項１】
前方上部へその中央部へ釣用ラインやサルカンの釣用ライン結節リングを通過させながら、サルカン本体を通過させない垂直方向の１つの溝とその後面へ根係りしたルアーと連結されたサルカン本体へ係止する係止部を有する上部傾斜面と、前方下部へはサルカンを導入する上方へ傾斜した下部傾斜面を有し、それらの左右の面はすり鉢状の斜面で構成され、下面に釣用ラインを挿入する先端から後端まで連続したＳ字状の釣用ライン挿入溝を有し、横断面長円形状の外殻と，後方下端に設けたルアー回収ライン結節孔を有する垂直尾翼を一体に形成したルアー回収具金属部材と、前方下部へサルカンを導入する傾斜面とそれに続くサルカン停止部となる段差部と下部のＳ字状釣用ライン挿入溝から上部の直線状釣用ライン通路までの連続した狭い開口部を有するルアー回収具樹脂部材が、強固に勘合し、一体に構成したことを特徴とするルアー回収具。
【請求項２】
請求項１のルアー回収具金属部材の肉厚が上部で薄肉で下部に行くに従って厚肉となることを特徴とするルアー回収具。
【請求項３】
請求項１、請求項２のルアー回収具金属部材の後方下部へ一体に形成した水平翼を有することを特徴とするルアー回収具。
【請求項４】
請求項１、請求項２、請求項３のルアー回収具金属部材の前部から後部まで連続した上下２対もしくは下部１対の係合突起とルアー回収具樹脂部材の上下２対、もしくは下部１対の係合溝を強固に勘合し、一体に構成したことを特徴するルアー回収具。
【考案の詳細な説明】
【技術分野】
【０００１】      この考案は、根係りしたルアーの回収具に関する。
【背景技術】
【０００２】      実登３０１０５４５（以下「先行技術１」という）は観音開きの扉によって根掛りしたルアーに連結されたサルカンを係止させ、回収しようとするものであるが、回転部分やバネなどを多用しているため、部品点数が多く、水中の藻やゴミなどがからむと作動不良を発生しやすい。
特開平７−３２７５７０（以下「先行技術２」という）では、あまりにも部品点数が多く更に構造が複雑でありすぎる。釣用ラインを挿入し可動部を回転させた時に、釣用ラインを部品の間へ噛み込み回転が不能となる怖れがあるし、耐久性に問題がある。【０００３】      種々のテストを行った結果、「先行技術２」が提案している逆円錐部へ十文字（４個）の係止溝は不要で１箇所の係止溝で充分である。なぜならば、釣竿をあおって釣用ラインを操作してもルアー回収具は前後の傾斜角度は変化するが左右の角度変化は小さい。回収ラインを操作しても同様であり、左右や下部の係止溝へサルカンが入り込む可能性は無い。【０００４】      ルアーの大きさに適合するフック付きサルカンのサイズによって異なるのはサルカン本体の直径、連結リングの直径、連結リングを構成するワイヤーの線径である。係止溝の幅は上記のワイヤーの線径以上で釣用ラインの結節部の直径以上であれば連結リングとラインの結節部を通過させる。更に、サルカン本体の直径より係止溝の幅が小さければサルカンを充分に係止することが可能である。連結リングは傾斜面に沿って回転し、上記の溝の幅であれば、釣用ラインに導かれ、直立して容易にこの係止溝を通過する。従って、係止溝の形状はＶ字状である必要は無い。
【考案の開示】
【考案が解決しようとする課題】
【０００５】      部品点数を減少させ、駆動部や回転部を無くすことによって、トラブルの発生を無くし、ルアーの回収操作が簡単で確実に行えるルアー回収具を経済的な価格で提供する。
【課題を解決するための手段】
【０００６】      請求項１によれば、図１、図２、図３、図４、図５に示すように、前方上部へその中央部へ釣用ラインＢやサルカン３の釣用ライン結節リング３ｂを通過させながら、サルカン本体３ａを通過させない垂直方向の１つの溝１ｌとその後面へ根係りしたルアーＤと連結されたサルカン本体３ａへ係止する係止部１ａを有する上部傾斜面１ｈと、前方下部へはサルカンを導入する上方へ傾斜した下部傾斜面１ｇを有し、それらの左右の面はすり鉢状の斜面１ｋで構成され、下面に釣用ラインを挿入する先端から後端まで連続したＳ字状の釣用ライン挿入溝１ｆを有し、横断面長円形状の外殻と、後方下端に設けたルアー回収ライン結節孔１ｄを有する垂直尾翼１ｅを一体に形成したルアー回収具金属部材１と、前方下部へサルカンを導入する傾斜面２ｂとそれに続くサルカン停止部２ａとなる段差部と下部のＳ字状釣用ライン挿入溝１ｆから上部の直線状釣用ライン通路２ｃまでの連続した狭い開口部２ｅを有するルアー回収具樹脂部材２が強固に勘合し、一体に構成した。【０００７】      請求項２では、請求項１のルアー回収具金属部材の肉厚が上部で薄肉で下部に行くに従って厚肉とした。【０００８】      請求項３では、請求項１、２のルアー回収具金属部材の後方下部へ一体に形成した水平翼を設けた。【０００９】      請求項４では、請求項１，２，３のルアー回収具金属部材の前部から後部まで連続した上下２対もしくは下部１対の係合突起とルアー回収具樹脂部材の上下２対、もしくは下部１対の係合溝を強固に勘合し、一体に構成した。
【考案の効果】
【００１０】      請求項１によれば、部品点数は２点のみとなり、駆動部や回転部は皆無とした非常に簡易な構造とした。従って、経済的であり、耐用年数も長い。【００１１】      請求項１で、釣用ライン通路を最上部へ設けたこと、垂直尾翼が後方下端に位置すること、横断面長円形状であること、請求項２のルアー回収具の金属部材の外殻が上部で薄肉であり下部で厚肉であること、請求項３の水平翼が下方へ配置していること、などから重心は下部もしくは後方下部に存在するため、姿勢は安定し、左右動や回転運動は発生しない。従って、釣竿をあおってルアー回収具を根係りしたルアーへ到達させるのが非常に容易である。ルアー回収具が根係りしたルアーへ到達したら、ルアー回収ラインを前後動させるだけで、ルアー回収具の係止部はルアーに連結されたサルカンの本体へ確実に係止し、容易にルアーを回収することが出来る。【００１２】      根係りしたルアーに連結されたサルカン本体に係止したルアー回収具をルアー回収ラインを引っ張ると、係止部とルアー回収ラインが結節された尾翼は直線状になり、より一層係止状態が強固になる。係止部と尾翼は金属で一体に成型されているため強力である。【００１３】  請求項４では、請求項１，２，３のルアー回収具金属部材の前部から後部まで連続した上下２対もしくは下部１対の係合突起とルアー回収具樹脂部材の上下２対、もしくは下部１対の係合溝を強固に勘合し、一体に構成したため、釣用ラインを挿入するための溝の幅が所定の寸法に確保できる。
【考案を実施するための最良の形態】
【００１４】      以下、図１乃至図７に基づき、この考案の実施形態を説明する。図１、図２、図３、図４、図５に示すように、本考案のルアー回収具金属部材１は前方上部へその中央部へ釣用ラインＢやサルカン３の釣用ライン結節リング３ｂを通過させながら、サルカン本体３ａを通過させない垂直方向の溝１ｌとその後面へ根係りしたルアーＤと連結されたサルカン本体３ａへ係止する係止部１ａを有する上部傾斜面１ｈと、前方下部へはサルカンを導入する上方へ傾斜した傾斜面１ｇを有しそれらの左右の面はすり鉢状の斜面１ｋで構成され、上部で薄肉で下部にいくに従って厚肉となり、下面に釣用ラインＢを挿入する先端から後端まで連続したＳ字状の釣用ライン挿入溝１ｆを有し、横断面長円形状の外殻と，後方下部へ設けた１対の水平翼１ｊと，後方下端に設けたルアー回収ライン結節孔１ｄを有する垂直尾翼１ｅを一体に形成した。但し、外殻の上下の肉厚の差を大きくした場合は、それだけでも、重心位置が下へ移動し、ルアー回収具の姿勢が安定するため、水平翼１ｊは必ずしも必要では無くなる。図示しない金型を製作し、例えば、亜鉛合金などで鋳造し、防錆のために表面処理を行うことによって得ることが出来る。【００１５】      図１に示す垂直方向の溝１ｌは釣用ラインＢの結節部やサルカン３の釣用ライン結節リング３ｂ、サルカン本体３ａ、フック連結リング３ｃ、サルカンのフック３ｄを通過させながら、サルカン本体３ａを通過させない幅に設定する。一般的にルアーのサイズによって使用されるサルカン３のサイズが決められる。サルカン３のサイズによって異なるのはサルカン本体３ａの直径、釣用ライン連結リング３ｂ、フック連結リング３ｃの直径、釣用ライン連結リング３ｂ、フック連結リング３ｃ、サルカンのフック３ｄを構成するワイヤーの線径とサルカンのフック３ｄの板厚である。更にルアーのサイズが変わると釣用ラインＢの直径も変化するため、釣用ラインＢの結節部の大きさも変化する。【００１６】      従って、垂直方向の溝１ｌの幅は一般的に使用されるサルカン３の中で、最も大きいサイズの釣用ラインＢの結節部やサルカン３の釣用ライン結節リング３ｂ、フック連結リング３ｃ、フック３ｄを通過させながら、最も小さいサルカン本体３ａを通過させない幅に設定する。【００１７】      図４に示すように、釣用ライン連結リング３ｂ、サルカン本体３ａ、フック連結リング３ｃ、サルカンのフック３ｄは垂直方向の溝１ｌの中央から釣用ライン通路２ｃを直線状に通る釣用ラインＢに導かれ、上部傾斜面１ｈに沿ってルアー回収具の内部へ入り込み、釣用ライン結節リング３ｂの後端がサルカン停止部２ａへ当接することによって、停止する。前記サルカン停止部２ａと上部傾斜面１ｈ後端の間へサルカン３の釣用ライン結節リング３ｂ、サルカン本体３ａ、フック連結リング３ｃとサルカンのフック３ｄのほぼ中央部までが、収容されるだけの長さに設定する。この位置まで収容した状態で、ルアー回収ラインＣを前後動させると、垂直方向の溝１ｌからサルカンのフック３ｄとフック連結リング３ｃが外部へ抜け出し、サルカン本体３ａが係止部１ａへ係止される。【００１８】      上部傾斜面１ｈとそれに続くすり鉢状の斜面の角度はサルカン３をルアー回収具内部へ容易に入り込ませるために、垂直方向に対して３０度から４５度後方へ傾斜していることが望ましい。【００１９】      係止部１ａの垂直方向の高さはサルカン本体５ａの直径と同等以上か少なくとも６５％以上は必要である。せっかくサルカン本体５ａを係止しても回収中にルアー回収具Ａの前傾姿勢が変化したり、ルアー回収ラインＣがたるんで係止部からサルカン本体がはずれてしまう怖れがあるためである。これを防止するため、係止部の後面の角度は垂直方向に対して３０度から４５度後方へ傾斜していることが望ましい。【００２０】      前方下部へサルカンを導入する傾斜面２ｂとそれに続くサルカン停止部２ａとなる段差部と下部のＳ字状釣用ライン挿入溝１ｆから上部の直線状釣用ライン通路２ｃまでの連続した狭い開口部２ｅを有するルアー回収具樹脂部材２を例えば、図示しない金型を製作し、ＡＢＳ樹脂などで成型することによって得ることが出来る。【００２１】      傾斜面２ｂはルアー回収具金属部材１の下部傾斜面１ｇの後方へ続く段差のない同一の面を持ち、滑らかな斜面とする。【００２２】      図３に示すように、下部では狭い開口部２ｅによって左右に分離しているルアー回収具樹脂部材２の上端部は薄い肉厚で連続しており、釣用ライン通路２ｃを形成している。従って、釣用ラインＢは釣用ライン通路がある範囲では、樹脂と接して摺動する。釣用ライン通路の横断面形状は上下方向に長い長円形状であり、ルアー回収具Ａが上下動や左右動しても釣用ラインＢが狭い開口部２ｅへ入り込むことを防止する。【００２３】      図３に示す狭い開口部２ｅは下部ではルアー回収具金属部材１の先端から後端まで連続したＳ字状の釣用ライン挿入溝１ｆと一致するＳ字状であり、上部では直線状になっている。この狭い開口部はルアー回収具金属部材１の係合突起１ｉとルアー回収具樹脂部材２の係合溝２ｄが係合することによって所定の釣用ラインＢが通過できる隙間を確保することが出来る。【００２４】      図３、図４に示すように、これらの２部品を図示しない金型のコアーの抜き勾配の必要性から前方より大きい内周寸法を有するルアー回収具金属部材１の後部からルアー回収具金属部材１の勾配を有する内周寸法と同一の外周寸法を有するルアー回収具樹脂部材２に図示しない接着剤を塗布した後に圧入することによって、前部から後端まで連続した上下２対のルアー回収具金属部材１の係合突起１ｉとルアー回収具樹脂部材２の上下２対の係合溝２ｄによって強固に勘合し、一体に構成することが出来た。【００２５】      本考案のルアー回収具の使用方法について説明する。ルアー釣の最中に、ルアーが根係りした場合、本考案のルアー回収具Ａを取り出し、ルアー回収用ラインＣを引き出し、足元へたるませて置く。釣用ラインＢを持ち、この釣用ラインＢをルアー回収具Ａの釣用ライン挿入溝１ｆから釣用ライン通路２ｃまで挿入し、図６に示すように、ルアー回収具Ａを水平にした状態で竿を持ち、釣用ラインＢをピンと張ると図７に示すように、ルアー回収具Ａは釣用ラインＢに沿って、滑る様に水中へ入って行く。【００２６】      水中の流れがある場所で根掛りしたルアーを回収する場合は、水流が釣用ラインや回収ラインを下流へ流し、回収操作の邪魔をする。しかし、釣用ライン通路が最上部へあることと、ルアー回収具金属部材の外殻が上部で薄肉、下部で厚肉であり、横断面長円形状となっているため、ルアー回収具の姿勢は安定しやすく、更に水平翼とルアー回収具の後方下部へ設けた垂直尾翼はその流れに沿って安定した姿勢を維持し、下流から上流へ向かって徐々に根掛りしたルアーへ接近させる操作を助ける。【００２７】      図４に示すように、ルアー回収具Ａが根係りしたルアーＤに到達するとルアーに連結されたサルカン３の釣用ライン結節リング３ｂ、サルカン本体３ａ、フック連結リング３ｃ、サルカンのフック３ｄはルアー回収具金属部材１の上部傾斜面１ｈと下部傾斜面１ｇとそれにつながるすり鉢状の斜面１ｋに沿って、ルアー回収具内部へ入り込み、ルアー回収具樹脂部材２のサルカン停止部２ａへ突き当たると釣人はコツンという感触を得る。この状態で釣竿を固定し、ルアー回収ラインＣを前後動させるとサルカンのフック３ｄ、フック連結リング３ｃは上部傾斜面１ｈ、係止部１ａを構成する部材の中央に設けられた垂直方向の溝１ｌの間からルアー回収具Ａの外部へ抜け出し、サルカン本体３ａが係止部１ａへガッチリと係止する。【００２８】      釣人がルアー回収ラインＣを引くと垂直尾翼１ｅと係止部１ａが直線状となるため、係止部１ａは、より強固にサルカン本体３ａを係止することになる。釣人は釣竿を置き、ルアー回収ラインＣを両手で持って、引き寄せる。根係りしたルアーＤの針Ｄ−１が軽いゴミや沈木に掛かっていた場合は、ルアーの回収は容易であるが、非常に重い物に掛かっていた場合は釣人は根係りしたルアーＤの針Ｄ−１が伸びてはずれるか、破壊してはずれるまでルアー回収ラインＣを引き寄せる必要がある。【００２９】      ルアーが根係りから開放されるとそのままルアー回収ラインＣを引き寄せるか、釣竿に取り付けたリールを使用してルアーを回収する。根係りしたルアーＤが回収できるとルアー回収具Ａの前方を上に向け、サルカン本体３ａを係止部１ａからはずし、釣用ラインＢを釣用ライン挿入溝１ｆから取り出すことによって、根係利したルアーの回収操作は完了する。以後、釣竿へ取り付けたリールを操作して、たるんでいる釣用ラインＢを巻き取る。更に、ルアー回収ラインＣを巻き取って収納することで、釣を再開することが出来る。
【図面の簡単な説明】
【００３０】
【図１】  ルアー回収具の左側面図
【図２】  ルアー回収具の平面図
【図３】  ルアー回収具の右側面図
【図４】  ルアー回収具の縦断正面図とサルカン、根係りしたルアーなど
【図５】  ルアー回収具の底面図
【図６】  ルアー回収具の空中、水中での水平姿勢
【図７】  ルアー回収具の空中、水中で釣用ラインをあおった時の前傾姿勢
【符号の説明】
【００３１】  Ａ          ルアー回収具
Ｂ          釣用ライン
Ｃ          ルアー回収ライン
Ｄ          根係りしたルアー
Ｄ−１      根係りしたルアーの針
１          ルアー回収具金属部材
１ａ        係止部
１ｂ        上部薄肉部
１ｃ        下部厚肉部
１ｄ        ルアー回収ライン結節孔
１ｅ        垂直尾翼
１ｆ        釣用ライン挿入溝
１ｇ        下部傾斜面
１ｈ        上部傾斜面
１ｉ        係合突起
１ｊ        水平翼
１ｋ        すり鉢状の斜面
１ｌ        垂直方向の溝
２          ルアー回収具樹脂部材
２ａ        サルカン停止部
２ｂ        傾斜面
２ｃ        釣用ライン通路
２ｄ        係合溝
３          サルカン
３ａ        サルカン本体
３ｂ        釣用ライン結節リング
３ｃ        フック連結リング
３ｄ        サルカンのフック
【図１】
0003148620.tif 000003
【図２】
0003148620.tif 000004
【図３】
0003148620.tif 000005
【図４】
0003148620.tif 000006
【図５】
0003148620.tif 000007
【図６】
0003148620.tif 000008
【図７】
0003148620.tif 000009
【手続補正書】
【提出日】平成20年11月17日(2008.11.17)
【手続補正１】
【補正対象書類名】実用新案登録請求の範囲
【補正対象項目名】請求項３
【補正方法】変更
【補正の内容】
【請求項３】
請求項１のルアー回収具金属部材の後方下部へ一体に形成した水平翼を有することを特徴とするルアー回収具。
【手続補正２】
【補正対象書類名】実用新案登録請求の範囲
【補正対象項目名】請求項４
【補正方法】変更
【補正の内容】
【請求項４】
請求項１のルアー回収具金属部材の前部から後部まで連続した上下２対もしくは下部１対の係合突起とルアー回収具樹脂部材の上下２対もしくは下部１対の係合溝を強固に勘合し、一体に構成したことを特徴とするルアー回収具。